(57)【要約】【課題】遊技球が発射されなくなるという不具合の発生を従来よりも抑えることが可能な遊技機の提供を目的とする。【解決手段】本発明のパチンコ遊技機１０では、上皿２７に貯留された遊技球が連絡通路７０を介して発射装置３４に取り込まれ、遊技領域Ｒ１に向けて１球ずつ発射される。その連絡通路７０にベルトコンベア７５が備えられている。ベルトコンベア７５は、操作ノブ２４が操作されていないときには停止していて、操作ノブ２４が操作されると回転し始め、連絡通路７０内の遊技球を発射装置３４に向けて移動させる。【選択図】図７
2019005338.tif 000002
【特許請求の範囲】
【請求項１】
発射球貯留部に貯留された遊技球を取り込んで、遊技領域に発射する発射装置を備える遊技機であって、
前記発射球貯留部と前記発射装置との間を連絡し、遊技球が通過する連絡通路と、
前記連絡通路又は前記発射球貯留部に設けられ、電力を受けて遊技球を前記発射装置内へ誘導する電動誘導部材と、を備える遊技機。
【請求項２】
遊技者が操作可能であり、前記発射装置に遊技球を発射させるための操作ハンドルと、
前記操作ハンドルが操作されていないときには、前記電動誘導部材に電力を供給せず、前記操作ハンドルの操作に起因して前記電動誘導部材に電力を供給する電力供給手段と、を有する請求項１に記載の遊技機。
【請求項３】
前記電力供給手段は、前記電動誘導部材への電力供給を、前記操作ハンドルの操作が開始されてから予め定められた所定時間が経過するまでの間のみ行う請求項２に記載の遊技機。
【請求項４】
前記電動誘導部材はベルトコンベアであり、前記ベルトコンベアにより前記連絡通路の下面の少なくとも一部が構成されている請求項１乃至３の何れか１の請求項に記載の遊技機。
【発明の詳細な説明】
【技術分野】
【０００１】
本発明は、遊技球を遊技領域に発射する発射装置を有する遊技機に関する。
【背景技術】
【０００２】
この種の遊技機は、上皿に貯留された遊技球が発射装置に順次取り込まれる構成となっている（例えば、特許文献１参照）。
【先行技術文献】
【特許文献】
【０００３】
【特許文献１】特開２０１３−２５２２１９号公報（段落［００３０］、図５）
【発明の概要】
【発明が解決しようとする課題】
【０００４】
上述した従来の遊技機においては、発射装置内に遊技球がうまく取り込まれず、遊技球が発射されなくなるという不具合の発生が度々起こっていた。
【０００５】
本発明は、上記事情に鑑みてなされたもので、遊技球が発射されなくなるという不具合の発生を従来よりも抑えることが可能な遊技機の提供を目的とする。
【課題を解決するための手段】
【０００６】
上記目的を達成するためになされた請求項１の発明は、発射球貯留部に貯留された遊技球を取り込んで、遊技領域に発射する発射装置を備える遊技機であって、前記発射球貯留部と前記発射装置との間を連絡し、遊技球が通過する連絡通路と、前記連絡通路又は前記発射球貯留部に設けられ、電力を受けて遊技球を前記発射装置内へ誘導する電動誘導部材と、を備える遊技機である。
【０００７】
請求項２の発明は、遊技者が操作可能であり、前記発射装置に遊技球を発射させるための操作ハンドルと、前記操作ハンドルが操作されていないときには、前記電動誘導部材に電力を供給せず、前記操作ハンドルの操作に起因して前記電動誘導部材に電力を供給する電力供給手段と、を有する請求項１に記載の遊技機である。
【０００８】
請求項３の発明は、前記電力供給手段は、前記電動誘導部材への電力供給を、前記操作ハンドルの操作が開始されてから予め定められた所定時間が経過するまでの間のみ行う請求項２に記載の遊技機である。
【０００９】
請求項４の発明は、前記電動誘導部材はベルトコンベアであり、前記ベルトコンベアにより前記連絡通路の下面の少なくとも一部が構成されている請求項１乃至３の何れか１の請求項に記載の遊技機である。
【発明の効果】
【００１０】
［請求項１の発明］
請求項１の遊技機では、発射球貯留部から発射装置へ遊技球が取り込まれる際に通過する連絡通路又は発射球貯留部に、電力を受けて遊技球を発射装置内へ誘導する電動誘導部材が配されているので、従来よりも遊技球が発射球貯留部から発射装置へ取り込まれやすくなり、遊技球が発射されなくなるという不具合の発生を従来よりも抑えることが可能となる。
【００１１】
［請求項２の発明］
請求項２の発明では、発射装置に遊技球を発射させるための操作ハンドルが操作されていないとき、つまり、遊技球を発射させず、発射装置に遊技球を取り込む必要がないときには、電動誘導部材に電力が供給されず、操作ハンドルが操作されたこと、つまり、遊技球を発射するために発射装置に遊技球を取り込む必要が生じたことに起因して、電動誘導部材に電力が供給されるので、消費電力を抑えることが可能になる。
【００１２】
［請求項３の発明］
発射球貯留部から発射装置への遊技球の移動は、一度遊技球が流れ出すとその後は安定すると考えられる。よって、請求項３の発明のように、電動誘導部材への電力供給を、操作ハンドルの操作が開始されてから予め定められた所定時間が経過するまでの間のみ行うように構成することで、発射装置への遊技球の供給を安定させつつ、消費電力をさらに抑えることが可能となる。
【００１３】
［請求項４の発明］
電動誘導部材は、例えば、発射装置側へ遊技球を押し込むように可動する可動部材等であってもよいし、請求項４の発明のように、ベルトコンベアであってもよい。
【図面の簡単な説明】
【００１４】
【図１】本発明の一実施形態に係るパチンコ遊技機の正面図
【図２】パチンコ遊技機の斜視図
【図３】ガラス枠扉を開放した遊技機の斜視図
【図４】発射装置の分解斜視図
【図５】発射装置の正面図
【図６】（Ａ）ガラス枠扉の後面側から見た部分拡大図、（Ｂ）ガラス枠扉の後面側から見た部分拡大図
【図７】（Ａ）上皿及び連絡通路周辺の平面図、（Ｂ）ベルトコンベア周辺の背面図
【図８】（Ａ）変形例に係る上皿及び連絡通路周辺の平面図、（Ｂ）変形例に係る上皿及び連絡通路周辺の平面図
【発明を実施するための形態】
【００１５】
以下、本発明を適用したパチンコ遊技機１０（本発明の「遊技機」に相当する）に係る一実施形態を、図１〜図７に基づいて説明する。図１に示すように、パチンコ遊技機１０の遊技板１１のうち、遊技者と対向する前面には、ガイドレール１２が設けられており、そのガイドレール１２で囲まれた遊技領域Ｒ１がパチンコ遊技機１０の前面の窓３１Ｗを通して視認可能となっている。後述する発射装置３４から発射された遊技球は、遊技板１１の左側部を通って上端寄り位置から遊技領域Ｒ１に進入する。
【００１６】
遊技領域Ｒ１の中央には、表示装置１３が設けられている。表示装置１３の下方には、第１と第２の始動入賞口１４Ａ，１４Ｂ、大入賞口１５が、上から順に間隔を開けて並べて設けられている。第１の始動入賞口１４Ａの左側には、ガイドレール１２に沿って一般入賞口２０が複数設けられている。各入賞口１４Ａ，１４Ｂ，１５，２０の何れにも入賞しなかった遊技球は、遊技領域Ｒ１の下端に配置されたアウト口１６に全て取り込まれる。また、表示装置１３の左側には、始動ゲート１８と風車１９が設けられている。なお、図示しないが、遊技領域Ｒ１には多数の障害釘が植設されている。
【００１７】
図２に示すように、パチンコ遊技機１０の前面のうち窓３１Ｗの下方には、上皿２７及び下皿２８が上下２段にして設けられている。これら上皿２７及び下皿２８は、パチンコ遊技機１０の前方に膨出した膨出部３１Ａ，３１Ｂにそれぞれ形成されている。上側の膨出部３１Ａのうち上皿２７の右側方には球抜きボタン２２を含む各種操作ボタンが設けられている。球抜きボタン２２を押下すると、上皿２７から下皿２８に遊技球が移動する。なお、図２、図３では、遊技板１１の前面に備えた表示装置１３等の図示を省略してある。
【００１８】
下皿２８の底部には、図示しない球排出口が貫通形成されており、その球排出口が常には、シャッター部材２３によって塞がれている。シャッター部材２３を水平にスライドさせて球排出口を開放すると、遊技球を下皿２８の下方に排出することができる。
【００１９】
パチンコ遊技機１０の前面における右下角部には操作ノブ２４が備えられている。操作ノブ２４は、パチンコ遊技機１０の前面から突出しており、その突出方向と平行な水平回転軸回りで回動操作をすることが可能となっている。操作ノブ２４を回動操作すると、上皿２７に貯留された遊技球が、発射装置３４に供給され、発射装置３４が１球ずつ遊技領域Ｒ１に向けて遊技球を弾き出す。そして、遊技領域Ｒ１を流下する途中で遊技球が上記した各入賞口１４Ａ，１４Ｂ，１５，２０（図１参照）に入球すると、賞球として所定数の遊技球が上皿２７に払い出される。なお、上皿２７は、本発明の「発射球貯留部」に相当する。
【００２０】
以下、遊技板１１の前面に配された各種部位について詳説する。まず、始動ゲート１８は、遊技球が潜って通過可能な門形構造をなしている。始動ゲート１８を遊技球が通過する毎に普通図柄当否判定が行われ、普通図柄表示部（図示せず）にて判定結果が表示される。
【００２１】
図１に示すように、第１と第２の始動入賞口１４Ａ，１４Ｂは、共に遊技板１１から突出した部材の上面に開口を備えたポケット構造をなしている。上側に配置された第１の始動入賞口１４Ａは、遊技球が１つだけ入る開口幅を有している。下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、上述した普通図柄当否判定で当りとなった場合に、可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる（図１の状態）。
【００２２】
各始動入賞口１４Ａ，１４Ｂに遊技球が入賞すると、予め定められた所定数の遊技球（賞球）が上皿２７に払い出されると共に、特別図柄当否判定が行われる。その判定結果は、表示装置１３の表示画面において特別図柄１３Ａ，１３Ｂ，１３Ｃの組み合わせで表示される。
【００２３】
具体的には、表示装置１３の表示画面には、図１に示すように、通常、３つの左、中、右の特別図柄１３Ａ，１３Ｂ，１３Ｃが横並びに停止表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、第１及び第２の始動入賞口１４Ａ，１４Ｂに遊技球が入賞したときに、これら３つの特別図柄１３Ａ，１３Ｂ，１３Ｃが、上下方向にスクロール表示され、所定時間後に、例えば、左、右、中の順で各特別図柄１３Ａ，１３Ｂ，１３Ｃが停止表示される。そして、判定結果が当り（以下、「大当り」という）の場合には、各特別図柄１３Ａ，１３Ｂ，１３Ｃが全て同じ図柄（ゾロ目）で停止表示され、遊技が「大当り遊技状態」に移行する。これに対し、判定結果が外れの場合には、ゾロ目以外の組み合わせで停止表示され、「大当り遊技状態」ではない通常遊技状態が続く。
【００２４】
大入賞口１５は、遊技板１１の前面に開放して横長形状をなしており、常には、可動扉１５Ｔにて閉塞されている。そして、上記したように「大当り遊技状態」になると、可動扉１５Ｔが前側に倒れて大入賞口１５が開放し（図１に示す状態）、可動扉１５Ｔをガイドにして大入賞口１５に遊技球が入賞可能になる。以上が、遊技板１１の前面に関する説明である。
【００２５】
図３に示すように、パチンコ遊技機１０は、遊技板１１が嵌め込まれた遊技機本体３０の前面に、ガラス枠扉３１を備えている。同図に示すように、ガラス枠扉３１は、遊技機本体３０の一側部（正面視左側部）にヒンジを介して連結されており、遊技機本体３０に対して開閉可能となっている。
【００２６】
ガラス枠扉３１には、ガラス板３１Ｇで塞がれた略円形の窓３１Ｗが設けられ、ガラス板３１Ｇ越しに遊技領域Ｒ１を視認することができる。また、ガラス枠扉３１の前面のうち、窓３１Ｗより下側には、上述した膨出部３１Ａ，３１Ｂが配されている。
【００２７】
さて、遊技機本体３０の前面のうち遊技板１１の下方には、発射装置３４が設けられている。発射装置３４は、遊技機本体３０の前面のうち左右方向のほぼ中央部に配設され、操作ノブ２４の回動操作に伴って上皿２７の遊技球を取り込んで遊技領域Ｒ１に向けて打ち出す。
【００２８】
図４に示すように、発射装置３４は、横長の長方形をなす台盤６１に、発射レール６２、打撃槌６３、球供給部４０等の種々の部品を組み付けて構成されている。
【００２９】
発射レール６２は、台盤６１の前面のうち正面視左側部に配され、約４５度の角度で左斜め上方に向かって延びている。発射レール６２は、その上面に形成されたＶ字形の溝で遊技球を案内するように構成されている。発射レール６２の下端部の上方には、球止め部材６６が取り付けられていて、後に詳説する球供給部４０から発射レール６２上に供給された遊技球は、発射レール６２の下端部で球止め部材６６に当接して停止する。
【００３０】
台盤６１の前面中央には打撃槌６３が設けられている。打撃槌６３は、台盤６１を前後方向に貫通した回転軸６３Ｊによって回動可能に支持されている。打撃槌６３の下方側の先端には、発射レール６２に向かってＬ字形に屈曲し、発射レール６２の下端部で停止した遊技球に当接可能な槌先端部６３Ｃが設けられている。また、台盤６１の後方には、図示しない発射モータ及び弾発エレメントが設けられている。発射モータは、操作ノブ２４の操作により作動し、単位時間当たりに所定数（例えば、１分間に１００個）の遊技球を打ち出すように打撃槌６３を回動させる。弾発エレメントは、操作ノブ２４と連結されており、操作ノブ２４に対する回動操作量に応じて、打撃槌６３による遊技球の打撃強度を変更することが可能となっている。
【００３１】
即ち、操作ノブ２４を回動操作すると、発射モータの駆動力を受けて打撃槌６３が図４に示す後退位置から発射レール６２側に向かって（時計回り方向に）回動する。すると、発射レール６２の下端部にセットされた遊技球が槌先端部６３Ｃによって弾かれて、発射レール６２に沿って斜め上方に打ち出される。
【００３２】
台盤６１の前面には、発射レール６２や打撃槌６３等を台盤６１との間で挟むようにして球供給部４０が取り付けられている。球供給部４０は、前後方向で扁平な箱形構造をなした樹脂製のケース４１を有している。ケース４１には、ケース４１の前面に開口して上皿２７に連絡する球入口４６Ｄと、発射レール６２の下端部寄り位置に挑む発射球供給口（図示せず）と、を両端に有する発射球通過路４７が形成されている（図５参照）。そして、上皿２７に貯留されている遊技球は、球入口４６Ｄを介して発射球通過路４７に流入し、その発射球通過路４７内を発射球供給口に向かって移動し、打撃槌６３が往復回動して遊技球を１つ打ち出すごとに、球供給部４０は発射レール６２上に遊技球を１つ供給するように構成されている。
【００３３】
なお、発射装置３４の左側方には、戻り球回収ダクト３３が配設されている（図３参照）。戻り球回収ダクト３３は、発射装置３４に備えた発射レール６２とガイドレール１２との間に配置されており、勢いが弱過ぎてガイドレール１２まで到達しなかった遊技球や、遊技領域Ｒ１まで到達せずガイドレール１２を逆戻りした遊技球を受け入れて下皿２８に排出するようになっている。
【００３４】
図６及び図７に示すように、ガラス枠扉３１における膨出部３１Ａのうち上皿２７の正面視右方（図６及び図７における左方）には、ガラス枠扉３１を貫通して上皿２７と発射装置３４の球入口４６Ｄとを連絡する連絡通路７０が形成されている。連絡通路７０は、遊技球１球分の幅をなし、上皿２７の右端部奥部からガラス枠扉３１に沿って延びた後、後方側へ屈曲し、ガラス枠扉３１の後面に開口している（図７（Ａ）参照）。ガラス枠扉３１を閉じた状態では、連絡通路７０の出口７０Ａは、発射装置３４の球入口４６Ｄに突き当たり、上皿２７と発射装置３４とが連絡通路７０を介して連通される。また、遊技球が発射装置３４へ案内されやすいように、上皿２７の下面が右端部奥部に向けて下るように傾斜すると共に、連絡通路７０の下面も奥側に進むにつれて下がるように傾斜している（図７（Ｂ）参照）。
【００３５】
図６に示すように、連絡通路７０の出口７０Ａ付近にはシャッター部材７１が設けられている。シャッター部材７１は、ガラス枠扉３１と平行に延びた横長の帯状をなし、連絡通路７０の出口７０Ａの側方に配された回動軸を中心に回動可能になっている。そして、シャッター部材７１は、操作ノブ２４の操作に応じて連絡通路７０の出口７０Ａを開閉し、操作ノブ２４が操作されていないときは、図６（Ａ）に示される閉状態となって遊技球が発射装置３４内に進入することを規制し、操作ノブ２４が操作されると、図６（Ｂ）に示される開状態となって遊技球が発射装置３４内に進入することを許容する。
【００３６】
ここで、本実施形態のパチンコ遊技機１０では、連絡通路７０にベルトコンベア７５（本発明の「電動誘導部材」に相当する）が備えられている。図７に示すように、連絡通路７０の下面を構成する下構成壁７０Ｘに貫通孔７０Ｋが形成されていて、下構成壁７０Ｘの下方に配されたベルトコンベア７５の上面がその貫通孔７０Ｋから連絡通路７０内に臨んでいる。図７（Ｂ）に示すように、ベルトコンベア７５は、２つのプーリー７５Ｐ，７５Ｐ間にゴムベルト７５Ａが張られてなり、連絡通路７０に沿って延びている。なお、図７（Ａ）に示す例では、貫通孔７０Ｋは、一部が上皿２７内に重なるように形成され、ベルトコンベア７５の始端は、上皿２７の右端部奥部に配されている。
【００３７】
ベルトコンベア７５は、図示しないモータにより駆動される。モータは、主制御基板（図示せず。本発明の「電力供給手段」に相当する）から電力及び制御信号を受けて、ベルトコンベア７５を駆動するように構成されている。具体的には、操作ノブ２４が操作されていないとき、つまり、遊技が行われていないときには、主制御基板はモータに電力供給を行わず、ベルトコンベア７５は停止している。そして、操作ノブ２４が操作されると、主制御基板がモータに電力を供給すると共に制御信号を出力し、ベルトコンベア７５が正面から見て時計回り（図７（Ｂ）における反時計回り）に回転する。これにより、連絡通路７０内の遊技球が上皿２７側から発射装置３４側へ移動する。
【００３８】
また、本実施形態では、操作ノブ２４の操作開始から所定時間（例えば１０秒間）が経過すると、ベルトコンベア７５が停止するように構成されている。ベルトコンベア７５が停止しても、遊技球が発射装置３４へ向けて一旦流動し始めると、遊技球の移動がスムーズに進むと考えられる。なお、ベルトコンベア７５のゴムベルト７５Ａの外側の面は、ベルトコンベア７５の停止時に摩擦により遊技球の流動が停止してしまうことがないように摺動性を有していることが好ましい。
【００３９】
本実施形態のパチンコ遊技機１０の構成は以上である。次に、パチンコ遊技機１０の動作及び作用効果について説明する。まず、遊技の開始前には、上皿２７及び発射装置３４内は空になっていて、遊技球が存在しない状態となっている。このとき、シャッター部材７１は閉状態となっていて、ベルトコンベア７５は停止している。
【００４０】
遊技球が上皿２７に投入されると、連絡通路７０内に遊技球が流れ込み、シャッター部材７１の位置まで遊技球で満たされる。そして、操作ノブ２４が操作されると、シャッター部材７１が開状態となって発射装置３４内に遊技球が流入可能となる。そして、発射装置３４内に流入した遊技球は打撃槌６３によって１級ずつ遊技領域Ｒ１に向けて打ち出される。このとき、操作ノブ２４が操作されてから所定時間が経過するまでの間は、ベルトコンベア７５が回転し、連絡通路７０内の遊技球を発射装置３４側へ誘導する。
【００４１】
ここで、従来の遊技機においては、連絡通路７０内の遊技球の移動がスムーズに行われずに、発射装置３４内に遊技球が取り込まれず、遊技球が発射されなくなるという不具合が度々発生していた。これに対し、本実施形態のパチンコ遊技機１０では、連絡通路７０にベルトコンベア７５が設けられ、連絡通路７０内の遊技球が発射装置３４側へ誘導されるので、遊技球の移動が従来よりもスムーズになり、遊技球が発射されなくなるという不具合の発生を抑制することができる。
【００４２】
また、遊技球が上皿２７に投入された際に、遊技球が連絡通路７０に流れ込まないことも考えられるが、本実施形態では、ベルトコンベア７５の始端が上皿２７内に配されているので、遊技球の連絡通路７０への流入もスムーズにすることができる。
【００４３】
さらに、ベルトコンベア７５は、操作ノブ２４が操作されていないとき（つまり、遊技球を発射させず、発射装置３４に遊技球を取り込む必要がないとき）には停止していて、操作ノブ２４が操作されたこと（つまり、遊技球を発射するために発射装置３４に遊技球を取り込む必要が生じたこと）に起因して回転するように構成されているので、消費電力を抑えることができる。
【００４４】
また、遊技球の移動は、停止状態から移動し始めるときが一番進みにくく、一旦流動し始めると、その後は安定して流動すると考えられるところ、本実施形態では、ベルトコンベア７５の回転が、操作ノブ２４の操作開始から所定時間経過するまでの間にのみ行われるので、遊技球の供給を安定させつつ、モータの負荷を抑え、消費電力の低減を図ることができる。
【００４５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）上記実施形態では、連絡通路７０の全体が遊技球１球分の幅であったが、奥部に向かって徐々に狭くなる構成であってもよい。
【００４７】
（２）上記実施形態では、ベルトコンベア７５が上皿２７と連絡通路７０との両方に跨るように配されていたが、連絡通路７０のみに設けられていてもよいし、上皿２７にのみ設けられていてもよい。
【００４８】
（３）上記実施形態では、ベルトコンベア７５が連絡通路７０の下面を構成するように配されていたが、連絡通路７０の側面を構成するように配されていてもよい。この場合、連絡通路７０の下面がベルトコンベア７５側に下るように傾斜していることが好ましい。
【００４９】
（４）上記実施形態では、本発明の「電動誘導部材」がベルトコンベア７５であったが、例えば、図８に示すように、上皿２７内で可動し、上皿２７内の遊技球を連絡通路７０に向けて押し込むことで遊技球を流動させる構成であってもよい。
【００５０】
（４）上記実施形態では、ベルトコンベア７５の回転が、操作ノブ２４の操作開始から所定時間経過後に停止する構成であったが、操作ノブ２４が操作されている間は、ベルトコンベア７５が常に回転している構成であってもよい。
【符号の説明】
【００５１】
１０    パチンコ遊技機
２４    操作ノブ
２７    上皿
３１    ガラス枠扉
３１Ａ    膨出部
３４    発射装置
４６Ｄ    球入口
７０    連絡通路
７０Ａ    出口
７０Ｋ    貫通孔
７０Ｘ    下構成壁
７１    シャッター部材
７５    ベルトコンベア
７５Ａ    ゴムベルト
７５Ｐ    プーリー
【図１】
2019005338.tif 000003
【図２】
2019005338.tif 000004
【図３】
2019005338.tif 000005
【図４】
2019005338.tif 000006
【図５】
2019005338.tif 000007
【図６】
2019005338.tif 000008
【図７】
2019005338.tif 000009
【図８】
2019005338.tif 000010